(57)【要約】【課題】  従来の釣り合いおもりでは、エレベータの昇降路断面積及び高さが大きくなって小型化が図れない。【解決手段】  枠２内に複数枚のおもり板３が上下方向に積層されている。これらおもり板の乗りかごと反対側の側縁は回転機構７を介して枠に回転自在に軸支されている。各おもり板は連動機構８により相互に連結され、水平面に対して同一角度を成すように連動する。各おもり板は引っ張りバネ９により上方に付勢されている。最下位のおもり板にはコンペンロープ６が取り付けられ、これによりおもり板に作用する力が引っ張りバネによる付勢力よりも大きくなると各おもり板が下方に回動する。【選択図】      図４
2005263350.tif 000002
【特許請求の範囲】
【請求項１】
枠と、上下方向に積層された複数枚のおもり板と、これらおもり板における乗りかごと反対側の側縁を前記枠に対して水平軸まわりに回転自在に軸支させる回転機構と、前記複数枚のおもり板を相互に連結すると共に水平面に対して同一角度を成すように連動させる連動機構と、前記おもり板を前記枠に対して一方向に付勢する付勢機構とを具備し、前記おもり板に前記付勢機構による付勢方向と反対方向の力が作用するようにコンペンセータを取り付け、前記コンペンセータにより前記おもり板に作用する力が前記付勢機構による付勢力よりも大きくなると前記複数枚のおもり板が回動するようにしたことを特徴とするエレベータの釣り合いおもり。
【請求項２】
前記付勢機構により前記おもり板に与えられる力が前記コンペンセータにより前記おもり板に与えられる力よりも大きいときに前記おもり板が前記乗りかごと上下方向にオーバーラップするようにしたことをことを特徴とする請求項１記載のエレベータの釣り合いおもり。
【請求項３】
前記付勢機構が引っ張りバネであり、この引っ張りバネにより前記おもり板に与えられる力が前記コンペンセータにより前記おもり板に与えられる力よりも大きいときに前記引っ張りバネが自然状態よりも若干伸長した状態となるようにしたことを特徴とする請求項１又は請求項２記載のエレベータの釣り合いおもり。
【請求項４】
少なくとも一つの側面に開口部が形成された箱形の枠と、水平な状態で前記開口部を介して前記枠内に挿入可能で、厚さ方向に貫通する貫通孔が形成されると共に前記枠内において上下方向に積層される複数枚のおもり板と、これらおもり板の貫通孔を貫通して前記各おもり板を前記枠に対して固定するためのロッドとを具備することを特徴とするエレベータの釣り合いおもり。
【請求項５】
少なくとも一つの側面に開口部が形成された箱形の枠と、水平な状態で前記開口部を介して前記枠内に挿入可能で、厚さ方向に貫通する鈎状溝が形成されると共に前記枠内において上下方向に積層される複数枚のおもり板と、これらおもり板の鈎状溝を貫通して各おもり板を前記枠に対して固定するためのロッドとを具備し、前記ロッドは、前記枠に対して前記おもり板の挿入方向と直交する水平方向に移動可能に取り付けられ、前記鈎状溝は、あらかじめ前記ロッドを前記枠の所定位置に取り付けた状態で前記おもり板を前記枠内に挿入する際に前記ロッドを受け入れると共に前記おもり板が前記枠内に挿入された状態で前記ロッドの移動を許容するように形成されたことを特徴とするエレベータの釣り合いおもり。
【発明の詳細な説明】
【技術分野】
【０００１】
本発明は、エレベータの釣り合いおもりに関する。
【背景技術】
【０００２】
図１１は従来のエレベータの釣り合いおもりの正面図、図１２は図１１の釣り合いおもりを備えたエレベータの平面断面図である。
【０００３】
図１１に示す釣り合いおもり１０１は、箱形の枠１０２内に複数枚の金属製のおもり板１０３を積層することで構成されている。
【０００４】
枠１０２は正面に開口部１０２ａを有しており、枠１０２内におもり板１０３を積層する際には、おもり板１０３を傾けて水平方向の寸法Ａを小さくし、開口部１０２ａを介して枠１０２内に挿入する。その後、おもり板１０３を水平にして枠１０２内に固定し、おもり板１０３が開口部１０２ａから落下しないようにしている。
【０００５】
近年、エレベータに対する小型化の要求が高まってきているが、図１２に示すように、上記従来の釣り合いおもり１０１は、乗りかご１０４の水平投影面に重なるように配置することができないため、昇降路断面積を小さくする上で障害になっていた。
【０００６】
また、おもり板１０３を積層する際には、図１１に示すように、一旦おもり板１０３を傾ける必要が有るため、枠１０１の内部上方に、傾けたおもり板１０３と積層したおもり板１０３とが干渉するのを防ぐための高さＢが必要であり、釣り合いおもり１０１の高さが大きくなるという問題点も有った。
【発明の開示】
【発明が解決しようとする課題】
【０００７】
解決しようとする問題点は、上述した構成の従来の釣り合いおもりでは、エレベータの昇降路断面積及び高さが大きくなって小型化が図れない点である。
【課題を解決するための手段】
【０００８】
本発明の釣り合いおもりは、枠と、上下方向に積層された複数枚のおもり板と、これらおもり板における乗りかごと反対側の側縁を枠に対して水平軸まわりに回転自在に軸支させる回転機構と、複数枚のおもり板を相互に連結すると共に水平面に対して同一角度を成すように連動させる連動機構と、おもり板を枠に対して一方向に付勢する付勢機構とを具備し、おもり板に付勢機構による付勢方向と反対方向の力が作用するようにコンペンセータを取り付け、コンペンセータによりおもり板に作用する力が付勢機構による付勢力よりも大きくなると複数枚のおもり板が回動するようにしたことを特徴としている。
【０００９】
また、本発明の他の釣り合いおもりは、少なくとも一つの側面に開口部が形成された箱形の枠と、水平な状態で枠の開口部を介して枠内に挿入可能で、厚さ方向に貫通する貫通孔が形成されると共に枠内において上下方向に積層される複数枚のおもり板と、これらおもり板の貫通孔を貫通して各おもり板を枠に対して固定するためのロッドとを具備することを特徴としている。
【００１０】
また、本発明の他の釣り合いおもりは、少なくとも一つの側面に開口部が形成された箱形の枠と、水平な状態で前記開口部を介して前記枠内に挿入可能で、厚さ方向に貫通する鈎状溝が形成されると共に前記枠内において上下方向に積層される複数枚のおもり板と、これらおもり板の鈎状溝を貫通して各おもり板を前記枠に対して固定するためのロッドとを具備し、前記ロッドは、前記枠に対して前記おもり板の挿入方向と直交する水平方向に移動可能に取り付けられ、前記鈎状溝は、あらかじめ前記ロッドを前記枠の所定位置に取り付けた状態で前記おもり板を前記枠内に挿入する際に前記ロッドを受け入れると共に前記おもり板が前記枠内に挿入された状態で前記ロッドの移動を許容するように形成されたことを特徴としている。
【発明の効果】
【００１１】
本発明の釣り合いおもりは、乗りかごとすれ違う際におもり板が回動することにより、水平投影面積が減少する。したがって、従来よりも乗りかごに近づけて配置することができるため、昇降路断面積を小さくすることができる。
【００１２】
また、最下階に達する際には、付勢機構によりおもり板が元の状態に復帰するため、水平投影面積は増加するが、上下方向寸法は小さくなる。したがってピット深さを短縮することができる。
【００１３】
なお、水平投影面積が増加する際には、乗りかごとは上下方向に離れた位置にあって干渉しないため、機器構成上の問題が生じることはない。
【００１４】
また、本発明の他の釣り合いおもりによれば、おもり板を枠内に設置するにあたって、おもり板を傾ける作業が不要であるため、枠の上部におもり板を斜めにするための空間を設ける必要が無く、上下方向の寸法を小さくすることができる。
【００１５】
また、おもり板に鈎状溝を設けた場合については、おもり板の積層後にロッドを通す作業が不要となるため、作業が容易となる。
【発明を実施するための最良の形態】
【００１６】
以下、本発明の一実施形態を図面に基づいて説明する。
【実施例１】
【００１７】
図１は第１実施例の釣り合いおもりを備えたエレベータの平面図、図２は図１のエレベータの要部側面図、図３は第１実施例の釣り合いおもりの一部省略平面図、図４は第１実施例の釣り合いおもりの側面図である。
【００１８】
図１に示すように、釣り合いおもり１は、枠２と、その内部に配設された複数枚の同形同大の矩形状の金属製のおもり板３とを具備している。枠２は横断面コの字形に形成されており、その内部におもり板３が上下方向に間隔をおいて積層されている。おもり板３における乗りかご４に対向する側は枠２から突出し、乗りかご４と上下方向にオーバーラップしている。
【００１９】
図２に示すように、釣り合いおもり１と乗りかご４はメインロープ５で連結されている。また、乗りかご４の下面にはコンペンセータのロープ６（以下、コンペンロープと記す）の一端が取り付けられ、最下位のおもり板３の下面にはコンペンロープ６の他端が取り付けられている。
【００２０】
図３に示すように、おもり板３は、乗りかごと反対側の側縁が回転機構７を介して枠２に回動自在に軸支されており、乗りかごの一側面と平行な水平軸まわりに回転自在となっている。図４に示すように、各おもり板３は連動機構８を介して相互に連結されており、全てのおもり板３が水平面に対して同一角度を成すように連動するようになっている。また、最上位のおもり板３と枠２の頂壁との間には引っ張りバネ９（付勢機構）が張装されており、各おもり板３は上方に回動する方向に付勢されている。
【００２１】
釣り合いおもり１が上昇し、コンペンロープ６からおもり板３に与えられる力ｆが、引っ張りバネ９からおもり板３に与えられる力Ｆよりも大きくなると、仮想線で示すように、各おもり板３が下方に回動する。
【００２２】
これにより、図５に示すように、おもり板３が乗りかご４と上下方向にオーバーラップしなくなるため、図６に示すように、釣り合いおもり１が乗りかご４と干渉せずにすれ違うことができる。
【００２３】
このように構成したことにより、釣り合いおもり１を乗りかご４に近づけて配置することができるため、昇降路断面積を小さくすることができる。また、釣り合いおもり１が下降して最下階に達する際には、引っ張りバネ９によりおもり板３が元の状態に復帰するため、上下方向寸法は小さくなる。したがってピット深さを短縮することができる。よってエレベータの小型化を図ることができるものである。
【００２４】
また、本実施例では、Ｆがｆよりも大きい状態においては、各おもり板３は、実線で示すように、乗りかご４に向かって下方に傾斜し、引っ張りバネ９が自然状態（収縮状態）よりも若干伸長した状態となっている。このような状態は、例えばストッパによって重り板３の上方への回動を規制することにより達成することができる。
【００２５】
このようにすることで、釣り合いおもり１が上昇する際に引っ張りバネ９がスムーズに伸長するので、おもり板３を確実に下方に回動させることができる。
【実施例２】
【００２６】
次に、本発明の第２実施例を説明する。図７は第２実施例の釣り合いおもりの一部省略平面図、図８は第２実施例の釣り合いおもりの側面図である。なお、以下の各実施例において、第１実施例と同一又は類似の部分には同一符号を用いており、重複する説明は省略してある。
【００２７】
図７、８に示すように、本実施例では、枠２が箱形に形成されると共に乗りかごに対向する側面に開口部２ａが形成されている。おもり板３は、水平な状態で開口部２ａを介して枠２内に挿入可能で、枠２内において上下方向に積層される。
【００２８】
各おもり板３には厚さ方向に貫通する一対の貫通孔３ａが形成され、各貫通孔３ａにはそれぞれロッド１０が貫通している。各ロッド１０の上下両端はそれぞれ枠２の上方又は下方に突出し、その突出端部にナット１１が螺着されている。これにより、各ロッド１０及び各おもり板３が枠２に固定された状態となっている。
【００２９】
このように構成したことにより、おもり板３を枠２内に設置する際に、従来のようにおもり板３を傾ける作業が不要となり、おもり板３を水平に保ったまま枠２内に設置することが可能となる。したがって、枠２内の上方におもり板３を傾けるための空間を設ける必要がなくなり、釣り合いおもり１を上下方向に小さくすることができる。また、おもり板３を傾ける必要が無いため、作業者が手を挟む危険が無いという利点がある。
【００３０】
おもり板３を枠２から取り外す際には、各ロッド１０の上下両端に螺着されたナット１１を取り外し、各ロッド１０を上方又は下方に引っ張っておもり板３及び枠２から引き抜く。そして、各おもり板３を開口部２ａを介して水平方向に引き出す。この際にも、おもり板３を傾ける必要が無いため、作業が容易である。
【実施例３】
【００３１】
次に、本発明の第３実施例を説明する。図９は第３実施例の釣り合いおもりの平面図、図１０は第３実施例の釣り合いおもりの側面図である。
【００３２】
図９、１０に示すように、本実施例では、枠２が箱形に形成されると共に乗りかごに対向する側面に開口部２ａが形成されている。おもり板３は、水平な状態で開口部２ａを介して枠２内に挿入可能で、枠２内において上下方向に積層される。
【００３３】
各おもり板３には厚さ方向に貫通する一対の鈎状溝３ｂが形成され、各貫通孔３ｂにはそれぞれロッド１０が貫通している。各ロッド１０の上下両端はそれぞれ枠２の上方又は下方に突出し、その突出端部にナット１１が螺着されている。これにより、各ロッド１０及び各おもり板３が枠２に固定された状態となっている。
【００３４】
おもり板３を枠２内に設置する際には、まず各ロッド１０を枠２に取り付ける。この際、各ロッド１０は、溝２ｂの左端に位置させる。そして、おもり板３を水平にし、枠２の開口部２ａから図９の矢印方向に挿入する。各ロッド１０はおもり板３の各鈎状溝３ｂに入り込むので、おもり板３はロッド１０に邪魔されることなく枠２内の所定位置にまで挿入することができる。
【００３５】
このようにして、全てのおもり板３を枠２内に挿入した後、各ロッド１０を右方向に移動させて鈎状溝３ｂの屈曲部分に入り込ませる（図９に示す状態）。これにより、各おもり板３が挿入方向と平行な方向（図９の上下方向）に規制された状態となる。各おもり板３は枠３により左右方向に規制されているため、各ロッド１０を枠２に固定することで各おもり板３が枠２内に固定されることになる。
【００３６】
このように構成したことにより、おもり板３を枠２内に設置する際に、従来のようにおもり板３を傾ける作業が不要となり、枠２内の上方におもり板３を傾けるための空間を設ける必要がないため、釣り合いおもり１を上下方向に小さくすることができる。また、おもり板３を傾ける必要が無いため、作業者が手を挟む危険が無いという利点がある。
【００３７】
また、第２実施例のように、おもり板３の積層後にロッド１０を通す場合には、各おもり板の貫通孔３ａの位置を整合させた後にロッド１０を通さなければならないが、本実施例では、そのような作業が不要となるため、作業が容易である。
【００３８】
おもり板３を枠２から取り外す際には、各ロッド１０の上下両端に螺着されたナット１１を取り外し、各ロッド１０を上方又は下方に引っ張っておもり板３及び枠２から引き抜く。そして、各おもり板３を開口部２ａを介して水平方向に引き出す。この際にも、おもり板３を傾ける必要が無いため、作業が容易である。
【００３９】
なお、本発明は上記の各実施例に限定されるものではなく、本発明の要旨を逸脱しない範囲で上記実施例に種々の改変形を施すことができる。
【図面の簡単な説明】
【００４０】
【図１】第１実施例の釣り合いおもりを備えたエレベータの平面図である。
【図２】図１のエレベータの要部側面図である。
【図３】第１実施例の釣り合いおもりの一部省略平面図である。
【図４】第１実施例の釣り合いおもりの側面図である。
【図５】第１実施例の釣り合いおもりの動作説明図である。
【図６】第１実施例の釣り合いおもりの動作説明図である。
【図７】第２実施例の釣り合いおもりの一部省略平面図である。
【図８】第２実施例の釣り合いおもりの側面図である。
【図９】第３実施例の釣り合いおもりの平面図である。
【図１０】第３実施例の釣り合いおもりの側面図である。
【図１１】従来の釣り合いおもりの正面図である。
【図１２】図１１の釣り合いおもりを備えたエレベータの平面断面図である。
【符号の説明】
【００４１】
１    釣り合いおもり
２    枠
２ａ  開口部
３    おもり板
３ａ  貫通孔
３ｂ  鈎状溝
４    乗りかご
６    コンペンセータのロープ
７    回転機構
８    連動機構
９    引っ張りバネ（付勢機構）
１０    ロッド
【図１】
2005263350.tif 000003
【図２】
2005263350.tif 000004
【図３】
2005263350.tif 000005
【図４】
2005263350.tif 000006
【図５】
2005263350.tif 000007
【図６】
2005263350.tif 000008
【図７】
2005263350.tif 000009
【図８】
2005263350.tif 000010
【図９】
2005263350.tif 000011
【図１０】
2005263350.tif 000012
【図１１】
2005263350.tif 000013
【図１２】
2005263350.tif 000014